(57)【要約】  本発明は、少なくとも本質的に平行に配置された複数のブラシ毛からの構造を備え、ブラシ毛が構造中心（７）の周囲にグループ分けされている、化粧液又は医薬液の計量塗布用ブラシであって、ブラシ毛が、ブラシ毛支持体（１）上に成形され、構造が、周囲方向において構造中心を包囲する外側構造領域（３）を有し、外側構造領域（３）では、ブラシ毛の密度が外側構造領域（３）によって包囲された内側構造領域（４）より高く、及び／又は外側構造領域（３）のブラシ毛が、内側構造領域（４）の前記ブラシ毛より細かい、ブラシに関する。
2014504531.tif 000002
【特許請求の範囲】
【請求項１】
少なくとも本質的に平行配置された複数のブラシ毛の構造を備え、前記ブラシ毛が構造中心（７）の周囲にグループ分けされている、化粧液又は医薬液の計量塗布用ブラシにおいて、前記ブラシ毛がブラシ毛支持体（１）上に成形され、前記構造が、周囲方向にて前記構造中心を包囲する外側構造領域（３）を有し、前記外側構造領域（３）では、前記ブラシ毛の密度が前記外側構造領域（３）によって包囲された内側構造領域より高いこと、及び／又は、前記外側構造領域（３）のブラシ毛が、前記内側構造領域（４）の前記ブラシ毛より細かいことを特徴とする、計量塗布用ブラシ。
【請求項２】
前記内側構造領域（４）が、まったくブラシ毛のない中心領域を含むことを特徴とする、請求項１に記載の計量塗布用ブラシ。
【請求項３】
前記内側構造領域（４）が、前記構造の前記中心（７）に、液滴空間（１１）を形成し本質的にブラシ毛のない空間容積の境界を定める制限ブラシ毛（１０）を有し、前記液滴空間（１１）内に、塗布される１回分の液体を集めことができ、前記１回分の液体が、処理される表面に接触した時に液滴の形態で塗布される液体の大部分が急激に放出されるに十分程度であることを特徴とする、請求項１又は２に記載の計量塗布用ブラシ。
【請求項４】
（ブラシ毛長さ、包囲しているブラシ毛の密度、塗布される液体の液滴挙動及び表面張力に応じた）前記液滴空間（１１）の容積が、前記液滴を、全体としてひとりでに本質的に滴下する前に少なくとも５秒間、より好ましくは１０秒間、更に好ましくは少なくとも１５０秒間保持することができるのに十分小さく選択されることを特徴とする、請求項１〜３の何れか一項に記載の計量塗布用ブラシ。
【請求項５】
前記液滴空間（１１）が、前記制限ブラシ毛（１０）のうちの１つの基部領域に存在する横断範囲の少なくとも３．５倍、理想的には少なくとも５．５倍に対応する、ブラシ毛のない基面を有し、その際、前記ブラシ毛のない基面が、好ましくは本質的に回転対称であることを特徴とする、請求項１〜４の何れか一項に記載の計量塗布用ブラシ。
【請求項６】
前記液滴空間（１１）が、前記制限ブラシ毛のうちの１つの横断範囲の最大１５倍、より好ましくは最大１２．５倍に対応する、ブラシ毛のない基面を有し、個々の場合に、前記制限ブラシ毛のうちの１つの横断範囲の１０倍だけであることを特徴とする、請求項１〜５の何れか一項に記載の計量塗布用ブラシ。
【請求項７】
前記内側領域（４）の前記ブラシ毛の遠位端が、前記外側領域（３）の前記ブラシ毛の遠位端を越えて突出していることを特徴とする、請求項１〜６の何れか一項に記載の計量塗布用ブラシ。
【請求項８】
前記制限ブラシ毛（１０）が、前記ブラシ毛構造（３）の他のブラシ毛すべての遠位端を越えて突出していることを特徴とする、請求項１〜７の何れか一項に記載の計量塗布用ブラシ。
【請求項９】
好ましくは前記遠位ブラシ毛端が広がる仮想面（包絡面）が、本質的に、３５°≦α≦５５°である頂点角度αを有する円錐状面であるように、前記ブラシ毛構造（３、４）の遠位端が全体として円錐状に先細りに構成されていることを特徴とする、請求項１〜８の何れか一項に記載の計量塗布用ブラシ。
【請求項１０】
前記制限ブラシ毛（１０）が一列に配置され、前記制限ブラシ毛の前記列が、その液滴空間（１１）から離れる方向に面している側で少なくともブラシ毛（１２）の追加の列によって包囲され、前記追加の列のブラシ毛が、前記制限ブラシ毛の最大間隔Ａｂｍａｘより大きいブラシ毛間隔によって互いに分離されていることを特徴とする、請求項１〜９の何れか一項に記載の計量塗布用ブラシ。
【請求項１１】
基部領域（ブラシ毛が徐々に前記ブラシ毛支持体になっている丸み付け部分の開始部分の真上）におけるブラシ毛が、ＤＦ≦０．０６ｍｍ又は理想的にはＤＦ≦０．０４ｍｍであるブラシ毛基部径ＤＦを有することを特徴とする、請求項１〜１０の何れか一項に記載の計量塗布用ブラシ。
【請求項１２】
前記制限ブラシ毛が、２．７５ｍｍ≦ＬＢ≦５．５ｍｍであるブラシ毛長さＬＢを有することを特徴とする、請求項１〜１１の何れか一項に記載の計量塗布用ブラシ。
【請求項１３】
少なくとも本質的に平行配置された複数のブラシ毛の構造を備え、前記ブラシ毛が構造中心（７）の周囲にグループ分けされている、化粧液又は医薬液の計量塗布用ブラシにおいて、前記ブラシがブラシ毛支持体（１）上に成形され、前記構造が制限ブラシ毛（１０）を有し、前記制限ブラシ毛（１０）が、前記構造の中心（７）にてブラシ毛のない空間容積の境界を直接定め、かつ残りのブラシ毛構造から境界が定められていることを特徴とする、計量塗布用ブラシ。
【請求項１４】
請求項１〜１３の何れか一項に記載のブラシと、好ましくはまつげ成長血清の形態で塗布され、表面張力が純水より小さい作用物質とから構成される塗布システムであって、一方で互いに対する前記ブラシ毛の配置及び／又は前記ブラシ毛長さと、他方で前記作用物質の流れ及び滴下の挙動を決定するパラメータとが互いに調整されて、前記ブラシ毛構造が、好ましくは大部分又は本質的に液滴空間に貯蔵されている所定量の前記作用物質を保持することができ、かつ処理される皮膚部分と接触すると前記作用物質を再び放出することができる、塗布システム。
【請求項１５】
容易に流れる化粧品及び／又は医薬品をヒト又は動物の毛、特にまぶたの皮膚に塗布する、請求項１〜１４の何れか一項に記載のブラシ又は塗布システムの使用。
【発明の詳細な説明】
【技術分野】
【０００１】
本発明は、請求項１のプリアンブル部分（前段部、所謂おいて書き部分）に係るブラシに関する。
【背景技術】
【０００２】
ブラシは、従来技術において非常に異なる形態で知られている。液体の塗布用のブラシは、通常、全体で又は束で互いに非常に近接しているか又は互いに直接接している、種々の材料からのブラシ毛の構造を有している。ブラシ毛は互いに近接しているか又は互いに接触していることのために、ブラシ毛構造は著しい毛細管効果を発揮する。従って、塗布される著しい量の液体を吸収することができる。
【０００３】
ブラシ毛構造によって吸収される液体は、ブラシ毛構造を処理される表面にわたってブラシかけし、それにより表面に接触するブラシ毛の部分が、それらを包囲している液体を処理される表面に放出することによって、再びブラシ毛から放出される。液体は、遠くの方にあるブラシ毛構造の領域から、処理される表面に接してブラシかけされたブラシ毛の領域内に流れ込む。ブラシ毛構造の貯蔵容量が使い尽くされるまで、処理される表面がブラシ毛構造によってブラシかけされる時間が長いほど、より多くの液体が、処理される表面にブラシ毛構造によって放出される。そして、使用者は、追加の液体を塗布しようとする場合、処理のために提供される液体でブラシ毛構造を再び湿潤させなければならない。
【発明の概要】
【発明が解決しようとする課題】
【０００４】
通常のブラシでは、液体の吸収量を、（特にブラシ毛の数、ブラシ毛厚さ及びブラシ毛長さにより）比較的十分に調整することができるが、指定された時間単位でどれくらいの液体の吸収量をブラシが再度放出するかに対しては、設計によってはわずかにしか影響を与えることができない。これは、単位時間当りの液体の放出量が、上述したように、使用者に、即ち使用者がブラシをいかに誘導するかによって大きく決まるためである。
【０００５】
更に、従来技術における互いに非常に近接しているブラシ毛は又は、短時間後でさえも、塗布される液体の一部がそれらブラシ毛の間に沈降しそれ以上放出されない（それは、化粧用ブラシ及び薬剤ブラシにおいて経済的かつ衛生的問題である）ため、不都合である。
【０００６】
これに鑑みて、本発明の課題は、塗布される液体の量をよりよく計量することができるブラシ毛構造を備えたブラシを考案することである。
【課題を解決するための手段】
【０００７】
この課題は、請求項１の特徴部分の構成によって解決される。
【０００８】
本発明によるブラシは、少なくとも本質的に平行に配置された複数のブラシ毛の構造を有している。ブラシ毛の長さ軸が１０°未満、より好ましくはわずか５°未満の角度を包囲する場合はいつでも、本質的に平行配置と言う。理想的には、ブラシ毛は、不可避な製造公差は別として、互いに完全に平行に配置される。
【０００９】
全体的に見ると、本発明によるブラシのブラシ毛構造は、好ましくは完全に又は少なくとも本質的に丸い。これは、本発明による計量挙動に決定的に好都合であり、又は、矩形あるいは正方形の基面を有するブラシ毛構造において本発明による計量挙動を可能にし、そこでは、計量されて塗布される液体が「広く」伝わり、その後、液体を、計量が概してそれ以上制御可能でなくなるように、十分に制御された方法でそれ以上放出することができなくなる。
【００１０】
好ましくは丸い（場合によっては長手方向において円錐状である）ブラシ毛は、構造中心の周囲で、理想的には円形にグループ分けされる。個々のブラシ毛各々が円形リングの形状の列を形成することが最適である。
【００１１】
隣接するブラシ毛は、理想的には周囲方向に円形の線に沿って隣接して、ブラシ毛が徐々にブラシ支持体になっている丸み付け部分の上方のブラシ毛の基部領域において、それらの対応する直径の少なくとも１／５、より好ましくは少なくとも１／４、理想的な場合は少なくとも１／３、間隔を空けて配置されている。しかしながら、理想的には、２つのこうした隣接するブラシ毛の間の最大間隔は、ブラシ毛の前記基部領域における最大ブラシ毛径より少なくとも２５％、より好ましくは少なくとも４０％小さい。
【００１２】
隣接するブラシ毛、理想的にはそれらの基部領域において半径方向に隣接する円形の線に沿って配置される隣接するブラシ毛は、ブラシ毛が徐々にブラシ毛担体になっている丸み付け部分の上方で、それらの対応する直径の少なくとも１／５、より好ましくは少なくとも１／４、理想的な場合は１／３、互いから間隔を空けて配置されている。ここでは、２つのこうした隣接するブラシ毛の間の最大間隔は、ブラシ毛の前記基部領域における最大ブラシ毛径より理想的には少なくとも２５％、より好ましくは少なくとも４０％小さいことも適用される。
【００１３】
採用されるブラシ毛の長さは、好ましくは２ｍｍから１０ｍｍ、理想的には２ｍｍから５ｍｍである。
【００１４】
ブラシ毛は、独立した構成要素又はハンドルの一体部分であるブラシ毛担体に、１つ又は２つの構成要素として成形される。ブラシ毛は、好ましくは、１つの構成要素としてブラシ毛担体上に成形され、従って、１回の「ショット」でブラシ毛担体と合わせて製造される。
【００１５】
この構造は、周囲方向に、構造中心を含む内側構造領域を完全に包囲する外側構造領域を有している。この外側構造領域では、ブラシ毛密度は、外側構造領域によって包囲される内側構造領域より高い。ブラシ毛密度という用語は、単位表面積当りのブラシ毛の数を意味するものと理解される。
【００１６】
別法としては更に、外側構造領域は、そのブラシ毛が内側構造領域のブラシ毛より細かいように構成されている。
【００１７】
本発明によるブラシ毛配置により、ブラシ毛部（ｆｉｅｌｄ）を、塗布される液体が、その表面張力により、最初にその意図された塗布まで包囲しているブラシ毛によって保持される単一の液滴を、塗布具の中心領域に形成するように配置することができる。
【００１８】
従って、本発明は、ブラシ毛部がブラシの浸漬中に最初に吸収した可能性があり、かつブラシ毛部が「過飽和」のために長時間にわたって貯蔵し続けることができない、液体のあらゆる過剰な量を実際に滴下した後、最終的に１つの液滴を形成するように配置することができる、ブラシ毛構造を考案することからなる。しかしながら、この液滴は、即座に滴下されない。代りに、液滴は、ブラシ毛構造に貯蔵され、塗布が開始し、この塗布中に処理される表面との接触が発生した時にのみ、ブラシ毛構造から再度放出される。
【００１９】
このように、ブラシの以前から既知である塗布原理から逸脱する塗布原理を利用することができる。これは、本発明の教示により、塗布される液体がもはや連続的に（不確定の量であっても）放出されず、処理される表面と接触している間に、ブラシ毛部によって貯蔵された液体の大部分が瞬時に放出されるように、ブラシを設計することが可能になるためである。理想的にはこの瞬時放出部分は、ブラシ毛部に貯蔵された液体の少なくとも７５％、より好ましくは少なくとも８５％である。
【００２０】
ブラシ毛が射出成形され、この理由でブラシ毛を互いから厳密に定義された間隔で設けることができるという事実は、上述した効果に明確に寄与する。そして、射出成形プロセスでの製造により本質的に液体の拡散に耐性がある材料の的を絞った使用が可能になるという事実は、更に重要である。ブラシ毛間隔及びブラシ毛の材料の的を絞った選択が、必要な程度に空にするために十分でない（上記を参照）場合は必ず、射出成形されたブラシ毛に対して、疎水性あるいは親水性添加物及び／又はこのように作用する表面構造を故意に設けることができる。
【００２１】
これらの手段を通して、ブラシ毛部の適切な配置により、液体の放出部分の体積をかなりの精度で規定することができる。
【００２２】
ブラシ毛部の正確な配置に対する有効な規則は、一般に、当然ながら述べることはできず、それは、所定の場合の個々の条件、即ち、特に、塗布される液体の粘度及び表面張力とともにブラシ毛密度、ブラシ毛径及びブラシ毛長さが著しく重要であるためである。しかしながら、本発明を実施するために個々の場合に維持されるべきこれらのパラメータの所定値を、当業者は、後に更に概説する本発明の原理を留意した場合に、通常の実験によって容易に確定することができる。当業者は、その試みにおいて、３Ｄパターンプリントを都合よく使用する。それを用いて、当業者は、対応するブラシ毛構造の対応する滴下挙動（ブラシ毛構造がブラシによって処理されるべき液体に対して示す）を研究するために、異なるブラシ毛を備えかつブラシ毛が体系的に変化する実験用ブラシを、ＣＡＤ支援により非常に迅速に製造することができる。
【００２３】
本発明の原理は、ブラシ毛構造によって吸収される液体を封入しそれをブラシ毛構造の中心に向ける縁を実施する、外側構造領域を考案することに基づく。本発明の原理はまた、内側構造領域であって、内側構造領域においてブラシ毛構造によって吸収される液体が、ブラシ毛の間の毛細管効果によってそれ以上完全には保持されず低減した程度でのみ保持されるほど、ブラシ毛密度が低減する、内側構造領域を考案することに基づく。このため、ブラシ毛構造によって吸収されかつブラシの滴下後にブラシ毛構造に最終的に残っている液体は、意図されるように、内側構造領域において最後の液滴まで凝集する。そして、依然として内側構造領域に存在するブラシ毛が、液滴が不注意に、即ち、浸漬によって負わされたブラシが経る滴下段階にある間に、無くなるのを防止する。
【００２４】
代りに、液滴は、少なくともブラシ毛構造の配置によって規定される時間、ブラシ毛構造において不安定のまま維持され、その時間は、滴下段階の時間枠を超える。これらの液滴を保持するブラシ毛及び／又は液滴自体の外層が処理される表面と接触するとすぐに、ブラシ毛構造において不安定に液滴を保持する力が克服され、液滴は、処理される表面に本質的に完全に放出される。
【００２５】
このため、従来技術に対してブラシによって塗布される液体の著しく優れた計量を達成することができる。
【００２６】
この効果を、ブラシ毛密度の変動によって達成することができるだけでなく、ブラシ毛の細かさを介して、即ち種々の構造領域のブラシ毛の直径を介して同様に制御することも可能である。
【００２７】
多くの場合、ブラシ毛密度及びブラシ毛の細かさが同時に変化する場合、理想的である。このため、個々の場合の要件に対する優れた適応が、場合に応じて可能である。
【００２８】
本発明の実施の成功に対して、本発明が射出成形されたブラシ毛によって実施されることが必須である。ブラシ毛が射出成形によって製造される場合のみ、ブラシ毛の間隔及びブラシ毛の細かさの両方を必要な精度で所望の方法で制御することができる。
【００２９】
好ましい実施形態に関連して、内側構造領域は、その表面の完全にブラシ毛のない唯一の部分を構成する中心領域を含むことが提案される。個々（即ち、塗布される液体の粘度又は表面張力が対向して高い）の場合において、完全にブラシ毛のない内側構造領域を構成することが考えられるが、それは好ましくない。
【００３０】
すぐ上で述べた好ましい実施形態の変更形態では、（好ましくは円形の仮想線に沿った）内側構造領域は制限（ｃｏｎｆｉｎｅｍｅｎｔ）ブラシ毛を有し、それらは、構造の中心においてブラシ毛のない容積の境界を定める。この空間容積は、厳密に定義可能な液滴空間を形成し、そこに、前記「最後の」液体液滴の少なくとも第１部分が集まることができ、その液滴空間は、処理される表面に接触した時に液滴の形態で塗布される液体の大部分の即座の放出を引き起こすように十分大きい。こうしたブラシ毛構造の中心におけるブラシ毛のない領域により、ブラシ毛構造によって不安定に維持された所望の液滴の形成が以降促進される。
【００３１】
これは、第１液体液滴が、中心領域においてブラシ毛又はブラシ毛によって発生した毛細管力により、妨げられずに凝集することができ、その液滴が、その表面張力により周囲のブラシ毛構造から追加の液体を吸引する可能性がある、という事実のために発生する。
【００３２】
このために、本発明は、狭いブラシ毛構造を備えた従来のブラシと異なる。これは、既知の狭いブラシ毛構造により、液滴形成が最初から抑制されるような高い毛細管力を発生させるためである。これは、通常ブラシを可能な限り液滴がないように設計する従来技術において既知であるブラシの基礎を形成する目的に対応する。
【００３３】
ここで再び、各個々の場合において液滴空間の空間容積がどれくらい広くなければならないかに関して、一般的に有効な公式を上げることができないことが当てはまる。代りに、ここでもまた、場合によってこの場合もラピッドプロトタイピングを用いて、ブラシ毛密度、ブラシ毛径、ブラシ毛長さ、塗布される液体の粘度及び表面張力に応じて、通常の実験により、各所定の個々の場合に対して液滴空間の空間容積を確定しなければならないことが当てはまる。これは、上述した指示に注意するが、莫大な費用なしに可能である。
【００３４】
上述した実施形態を、液滴空間の容積が、最後の液滴が形成されるのに十分な程大きく選択されるが、同時に、（滴下段階が終了した、垂直に下方に位置合せされた固定ブラシであって、そのブラシ毛構造が空間に浮いているブラシによる）液滴を、滴下する前に、ブラシ毛構造により少なくとも１５秒、少なくとも３０秒、理想的には少なくとも１５０秒、ブラシ毛構造又はブラシ毛が、液滴が塗布される表面と事前に接触することなく、維持することができるよう、十分小さいようにも選択される。
【００３５】
ブラシ毛のない中心領域は、好ましくは、制限ブラシ毛のうちの１つのその基部領域における横断範囲の少なくとも３倍、又は少なくとも３．５倍、より好ましくは少なくとも４．５倍、理想的には更に少なくとも５．５倍に対応する、ブラシ毛のない基面を有している。しかしながら、理想的には、状況は、ブラシ毛のない中心領域のブラシ毛のない基面は、最大として、制限ブラシ毛のうちの１つの（対応する制限ブラシ毛が徐々にブラシ毛支持体になっているあらゆる丸み付け部分の上方のその基部領域における）横断範囲の１５倍、より好ましくは最大１２．５倍に対応する基面を有するようなものである。そうでなければ、ブラシ毛のない中心領域に貯蔵された液体の量は、ブラシ毛のない中心領域の著しい部分に貯蔵されそれに割り当てられた液滴空間に「浮遊して」維持される代りに、ブラシ毛構造内で広く伝わる傾向があり、このため、例えば制限ブラシ毛が塗布位置と接触することで移動する場合に、その液体の量を故意に放出することができる。ここでの重要な基部領域は、ブラシ毛が徐々にブラシ毛支持体になっている丸み付け部の開始部分の真上のブラシ毛の領域である。そして、ブラシ毛のない基面は、好ましくは、本質的に回転対称であり、特に略円形である。好ましくは、ブラシ毛のない中心領域の基面は、制限ブラシ毛を内接させ、それにより半径方向内側で制限ブラシ毛と接触する仮想円を有する表面を意味するように理解される。
【００３６】
別の好ましい変形に関して、内側領域のブラシ毛の遠位（即ち、ブラシハンドルから離れる方向に向いている）端は、外側領域のブラシ毛の遠位端を越えて延在することが提案される。ブラシ毛のこうした構造は、ブラシ毛構造の中心領域における液滴形成に、かつ概して中心領域における液滴の保持にも有利である。
【００３７】
制限ブラシ毛の遠位端は、好ましくは、ブラシ毛構造の他のすべてのブラシ毛の遠位端を越えて延在する。これはまた、大部分の場合、液滴形成及び液滴の保持に有利に影響を与える。しかしながら、液体が塗布される表面と後に最初に接触した時の液滴の放出は、特にこれによって確実に影響を受ける。これは、長い制限ブラシ毛がそれらの間に液滴又は少なくとも液滴の著しい部分を保持するためである。液滴の放出は、遅くても他のブラシ毛構造を越えて突出している制限ブラシ毛のうちの１つ又は複数の遠位端が、ブラシが表面に接触した時に変形するとすぐに開始される。この目的で、制限ブラシ毛、即ちその遠位端の領域で略単独で立っている制限ブラシ毛のうちの１つ又は複数のみを「作動させ」ればよいため、非常に限られた力のみが必要となる。
【００３８】
有利な変更形態に関して、好ましくは、ブラシ毛構造の遠位端は、遠位ブラシ毛端が包絡面として全体的に広がる仮想面が、本質的に、頂点角度αに対して３５°≦α≦５５°が適用される円錐状面であるように、円錐状に先細りに設計されることが提案される。
【００３９】
このように、ブラシ毛構造の端部をブラシ毛構造の中心領域に向かわせることにより、液滴形成が促進される。
【００４０】
有利には、制限ブラシ毛は一列に（好ましくは円形の線に沿って）配置され、制限ブラシ毛の列は、その液滴空間から離れる方向に向いている側において、ブラシ毛の少なくとも１つの追加の列によって包囲され、その追加のブラシ毛の列のブラシ毛は、２つのすぐに隣接する制限ブラシ毛が互いから維持されている最大間隔Ａｂｍａｘより大きいブラシ毛間隔により互いから分離されている。
【００４１】
本発明の重要な態様は、水性化粧品及び／又は薬剤を瞼の皮膚に塗布する、本発明によるブラシの使用である。実際に、まつげの成長活動をシミュレートする必要がある。この目的で、この目的に対して適切な効果を有する作用物質又は刺激物を、まつげの根元の近くのまぶたの皮膚部分に、好ましくは上まぶたに塗布しなければならない。対応する作用物質は、高価な化粧品又は医薬品の一部であり、製造に費用がかかる。更に、有効な作用物質は、いずれにしても非常に希薄にのみ塗布するべきであり、それは、そうでなければ、目の中に又は目の周囲に分配される過剰な作用物質が望ましくない副作用を引き起こす可能性があるためである。
【００４２】
これにより、精密なピペットを用いる以前提案された塗布が不都合なものとなる。更には、理論的に考えられる（ただしまだ明白には提案されていない）まつげの基部及び隣接する皮膚部分に運ばれる、「典型的なマスカラブラシ」のタイプを用いるこうした作用物質の塗布は、深刻な欠点、即ち特に、相対的に体積のあるマスカラブラシを浸漬することによって許容できないほど大量の作用物質が消費され、それはまた、著しい程度まで塗布中に制御されない方法で滴下するという危険もおかす、ということである。
【００４３】
これらの難題及び欠点は、この発明に関連して提案されかつ請求項に記載されている計量ブラシの発明による使用によって改善される。この計量ブラシは、塗布位置において実際に必要な量の作用物質を、この目的で特別に備え付けられたその液滴空間内に本質的に貯蔵することができる。液滴空間に貯蔵された量を、制御された方法で再度放出することができる。これは、液滴空間を包囲するブラシ毛が、長手方向に見た場合に最も外側に突出し、従ってブラシ毛部の他のブラシ毛を越えて突出するブラシ毛である場合に、特に当てはまる。
【００４４】
本発明による使用は、好ましくは、後に更に指定するように、容易に流れる粘稠度を有する作用物質の塗布に対して行われる。
【００４５】
従って、先行する請求項のうちの１つによるブラシと、表面張力ＯＢＳＦが純水より小さい、好ましくはまつげ成長血清の形態で塗布される作用物質とからなる塗布システムもまた、本発明の目的であり、そこでは、一方ではブラシ毛の互いに対する数及び／或いは配置並びに／又はブラシ毛長さと、他方では作用物質の流れ及び滴下挙動を確定するパラメータとが、ブラシ毛構造が所定量の作用物質をその液滴空間内で（好ましくは大部分又は本質的に）維持し、処理される皮膚部分と接触すると再度その作用物質を放出することができるように、互いに対して調整される。
【００４６】
ブラシは、好ましくは６から１２の制限ブラシ毛を有し、それらは、液滴空間の境界を定め、その際にその液滴空間を画定する。
【００４７】
理想的には、制限ブラシ毛は、ブラシ毛長さＬＢに対して２．７ｎｍ≦ＬＢ≦５．５ｍｍが適用される。
【００４８】
ブラシ毛、理想的には少なくとも制限ブラシ毛は、基部領域において（ブラシ毛が徐々にブラシ毛支持体になっている丸み付け部分の開始部分の真上において）ブラシ毛基部径に対して、ＤＦ≦０．０６ｍｍ又は理想的にはＤＦ≦０．０４が適用されることが好ましいことが分かった。
【００４９】
ブラシ毛構造全体が、好ましくは丸く、又は本質的に丸く、更に、合計３０と９０との間のブラシ毛、より好ましくは５０と７０との間のブラシ毛を含む。
【００５０】
２０℃で塗布される作用物質は、好ましくは、いわゆる「毛細管効果」又はこの方法に従って動作する一般的な表面張力測定機器によって測定された表面張力ＯＢＦＳが、１５ｍＮ／ｍ≦ＯＢＦＳ≦６０ｍＮ／ｍの範囲、理想的には２０ｍＮ／ｍ≦ＯＢＦＳ≦４０ｍＮ／ｍの範囲にある。
【００５１】
塗布される作用物質は、好ましくは、各々２０℃で測定された比重量が、０．６ｇ／ｍＬから１．５ｇ／ｍＬ、理想的にはわずか０．６ｇ／ｍＬから０．９ｇ／ｍＬである。
【００５２】
２０℃で塗布される作用物質は、好ましくは、各々通常の粘度計、好ましくはＥｎｇｌｅｒ粘度計で測定された粘度が、約１ｍＰａｓから約１００ｍＰａｓの間（個々の場合では１５０ｍＰａｓまで、好ましくない）、理想的には約１ｍＰａｓと約５０ｍＰａｓとの間である。従って、塗布される作用物質は容易に流れる。
【００５３】
本発明の追加の構成可能性、利点及び作用の方法は、図面を参照して３つの実用例の以下の説明から明らかである。
【図面の簡単な説明】
【００５４】
【図１】本発明によるブラシ用の塗布具の第１実用例を側面図で示す。
【図２】本発明によるブラシ用の塗布具の第１実用例を縦断面図で示す。
【図３】本発明によるブラシ用の塗布具の第１実用例を斜視図で示す。
【図４】本発明によるブラシ用の塗布具の第１実用例を正面図で示す。
【図５】本発明によるブラシ用の塗布具を占有するブラシ毛に対応する個々のブラシ毛のモデルを示す。
【図６】本発明によるブラシ用の塗布具の第１実用例を拡大正面図で示す。
【図７】本発明によるブラシ用の塗布具の第２実用例を側面図で示す。
【図８】本発明によるブラシ用の塗布具の第２実用例を縦断面図で示す。
【図９】本発明によるブラシ用の塗布具の第２実用例を斜視図で示す。
【図１０】本発明によるブラシ用の塗布具の第２実用例を正面図で示す。
【図１１】本発明によるブラシ用の塗布具の第２実用例を拡大正面図で示す。
【図１２】本発明によるブラシ用の塗布具の第３実用例を側面図で示す。
【図１３】本発明によるブラシ用の塗布具の第３実用例を縦断面図で示す。
【図１４】本発明によるブラシ用の塗布具の第３実用例を斜視図で示す。
【図１５】本発明によるブラシ用の塗布具の第３実用例を正面図で示す。
【図１６】本発明によるブラシ用の塗布具の第３実用例を拡大正面図で示す。
【図１７】本発明によるブラシ用の塗布具の他の実用例から独立して保護されるように請求される第４実用例を中心断面図で示す。
【図１８】図１７による塗布具の第４実用例を斜視図で示す。
【図１９】本発明によるブラシ用の塗布具の第４実用例を拡大正面図で示す。
【図２０】本発明によるブラシ用の最初の３つの実用例とは独立して保護されるように請求される第５実用例を側面図で示す。
【図２１】本発明による塗布具の第５実用例を正面からの斜視図で示す。
【図２２】本発明によるブラシ用の塗布具の第５実用例を拡大正面図で示す。
【発明を実施するための形態】
【００５５】
図１〜図６は、本発明の第１実用例を示す。
【００５６】
この実用例に関連して更に説明するブラシは、ハンドル（ここでは図示せず）とこのハンドル又は軸に締結することができるブラシ毛支持体１とからなる。
【００５７】
すぐ上で提示した図は、各々、およそ７．５：１の尺度で非常に拡大した図を示す。本発明によるブラシは、非常に精密であり、好ましくは頭部径ＫＤが２．５ｍｍと６ｍｍとの間の範囲であり、図に示す実用例では４ｍｍである。
【００５８】
ブラシ毛支持体１は、長手方向軸Ｌを有し、それは、軸（図示せず）の長手方向軸と一様に一致している。
【００５９】
ブラシ毛支持体１には、長手方向軸Ｌに対して本質的に垂直に伸びるブラシ毛支持体基面２が設けられている。ブラシ毛は、この実用例ではブラシ毛支持体基面２に一体的に成形されている。これらはブラシ毛部を形成し、そのブラシ毛部のブラシ毛は、互いに対して本質的に平行に配置され、そのブラシ毛長手方向軸ＢＬは、ブラシ毛支持体及びブラシ毛全体の長手方向軸Ｌに対して本質的に平行に伸びている。
【００６０】
この実用例ではブラシ毛支持体基面２を備えたブラシ毛支持体１は、ブラシ毛とともに１回の作業ステップ（シングルショット）で射出成形されており、その理由で、すべての上述した構成要素はここでは同じプラスチックから構成されている。これは、衛生的な観点から理想的であり、それは、「ブラシ毛模造品」又は挿入されたブラシ毛束の使用の間とは異なり、塗布される液体の一部が残る間隙が生じることができないためである。
【００６１】
ブラシ毛部のブラシ毛は非常に弾性のあるブラシ毛である。これらのブラシ毛の遠位端を、意図された塗布中に発生する力の影響下で、対応するブラシ毛の中心線が無負荷状態（図５参照）で呈する位置から直交する少なくとも１．２５ｍｍ、更に好ましくは少なくとも２ｍｍ、理想的には少なくとも２．７５ｍｍの長さΔＬ、偏向させることができる。
【００６２】
ブラシ毛は、各々、ブラシ毛長手方向軸に対して約１°の角度βで傾斜して伸びる円錐状外面を有しており、図５を参照されたい。
【００６３】
ブラシ毛構造のブラシ毛がすべて、互いから画定された間隔を維持し、即ち、個々のブラシ毛が無負荷状態で隣接するブラシ毛と接触しないことも注目すべきである。
【００６４】
図６に関連してもっとも明らかであるように、ブラシ毛構造７は、外側構造領域３及び内側構造領域４に細分されている（図６では他の等価のブラシ毛を表すために、円形リングに配置されたブラシ毛の単一のブラシ毛のみを示し、それに、黒い実線としての外側構造領域３と内側構造領域４との間の仮想境界線ＧＲとともに、参照番号が付されている）。
【００６５】
外側構造領域３では、ブラシ毛密度、即ち面積当たりのブラシ毛の数が、断面において、外側構造領域３によって包囲される内側構造４におけるブラシ毛密度ＢＤＩより高い。個々の場合に塗布される液体に応じて、ＢＤＡ／ＢＤＩ≧１．３及び好ましくはＢＤＡ／ＢＤＩ≧１．５が適用される。場合によっては、ＢＤＡ／ＢＤＩ≧３が理想的である。
【００６６】
図１〜図６に示すこの所定の実用例では、ＢＤＡ／ＢＤＩは１．３をわずかに超える。
【００６７】
同時に、外側構造領域３のブラシ毛は、断面において（即ち、対応する領域に属しているブラシ毛の数に対して平均して）相対的に細かい。外側構造領域３のブラシ毛は、主にすべて（又は少なくとも平均して）、内側構造領域４のブラシ毛より少なくとも２５％小さいブラシ毛径を有している。
【００６８】
この実用例は、外側構造領域３が、協働するバリア列８及びバリア列９として設計される、円形の線に沿って配置された少なくとも２つのブラシ毛列を含む、好ましい実用例である。これらの２つのバリア列８及び９は、主に、半径方向外側方向に見た場合に、一方のバリア列のブラシ毛が、リング状の局部的に密なブラシ毛構造が生成されるように、他方のバリア列のブラシ毛の間の中間の空間を覆うように配置されている。従って、外側構造領域３のブラシ毛構造は、ブラシ毛構造によって吸収される液体の総量の範囲を定め、その液体を保持し、その液体をブラシ毛構造の中心７に向けるように配置されている。
【００６９】
この実用例における内側構造領域４は、外側構造領域３に比較して単位面積当たりの平均ブラシ毛密度が小さいブラシ毛部から構成されている。
【００７０】
そして、この実用例は、中心領域７がブラシ毛のない基面を有するあらゆる好ましい実施形態を実施する。このブラシ毛のない基面は、制限ブラシ毛１０のうちの１つの上で定義した基部領域における横断範囲のおよそ４．５倍超に対応する。
【００７１】
図６を参照して容易に明らかであるように、この実用例は、内側構造領域４内に、円形リング面に沿って配置された複数の制限ブラシ毛１０が存在し、それら制限ブラシ毛１０が、ブラシ毛構造の中心にブラシ毛のない領域の境界を定め、そうする際に、図６において中心に近い黒い仮想実線によって示すいわゆる液滴空間１１を形成する、好ましい実施形態を実施する。
【００７２】
この液滴空間１１は、負荷時かつ滴下時のブラシ毛構造において意図されるように発生する液滴の中心軸、従って液滴のもっとも重量のある領域もまた画定する。
【００７３】
制限ブラシ毛１０は、ここでは、基部領域においてブラシ毛径が最大であるブラシ毛構造のブラシ毛である。制限ブラシ毛１０は、同時に、長さが最大であるブラシ毛構造のブラシ毛であり、かつ遠位端がブラシ毛構造の他のブラシ毛すべてを超えるように外側に突出するブラシ毛であり、特に図２を参照されたい。
【００７４】
制限ブラシ毛は、ブラシ毛径が最大であるにも関らず、互いに非常に限られた間隔で配置されている。２つの直接隣接する制限ブラシ毛の基部間隔は、制限ブラシ毛のブラシ毛基部径の半分より小さい。ブラシ毛が徐々にブラシ毛支持体基面になっている丸み付け部分の真正面の基部領域は影響を受けない。
【００７５】
図４を参照してもっともよく見ることができるように、ここで内側ブラシ毛構造領域を形成するブラシ毛部は、全体として、半径方向におけるブラシ毛基部径が内側から外に小さくなるブラシ毛から構成されている。
【００７６】
内側構造領域４のブラシ毛の最内列は、前記制限ブラシ毛１０の列を形成する。外側に見た半径方向において、中間ブラシ毛１２の列が続き、それらの基部径は、好ましくは、制限ブラシ毛１０の基部径より１５％を超えて、理想的には２０％を超えて小さい。好ましくは、このブラシ毛列のブラシ毛は、制限ブラシ毛として互いからのブラシ毛間隔がおよそ同じ（最大１５％大きい間隔）である。半径方向外側にブラシ毛１２のこの列に外側ブラシ毛１３の列がつながり、その外側ブラシ毛１３の列は、外側ブラシ毛領域３に対して内側ブラシ毛領域４の境界を形成する。この外側ブラシ毛１３の列は、好ましくは、基部径が制限ブラシ毛１０の基部径より３０％を超えて、理想的には４０％を超えて小さいブラシ毛から構成されている。
【００７７】
図２において容易に明らかであるように、ブラシ毛支持体は、凸状の湾曲したブラシ毛基面２を有し、それにブラシ毛が締結され、そこからブラシ毛が突出している。本実用例におけるこのブラシ毛基面は、ブラシ毛構造が垂直方向下方を向くようにブラシが保持される時に、最深点Ｔがブラシ長手方向軸と一致する球状キャップとして構成されている。
【００７８】
円形列におけるブラシ毛構造のすべてのブラシ毛がブラシ毛構造の中心に対して同心状に配置されることも注目すべきである。
【００７９】
図７〜図１１は、本発明の第２実用例を示す。後述する相違を除き、第２実用例は第１実用例と名付けられたものに対応し、それにより、第１実用例で述べたものが第２実用例に対しても同一に適用される（特に、それら実用例のそれらの決定的な観点における実際に同一の側面図を参照されたい）。
【００８０】
この実用例では、ブラシ毛支持体基面２は、外側構造領域３に割り当てられていない、占有されていない縁を有しており、図１０を参照されたい。
【００８１】
外側構造領域３は、ここでは、相対的に占有の密度が低いように設計され、この実用例では、主にバリア列８及び９から構成されている。
【００８２】
内側構造領域４もまた、相対的にはるかに低い密度で占有されている。内側構造領域４は、制限ブラシ毛１０の列を含む。外側で、補助ブラシ毛１４のまばらになった列がつながっている。それら補助ブラシ毛１４のブラシ毛径は、好ましくは制限ブラシ毛１０のブラシ毛径より１５％を超えて、理想的には２０％を超えて小さい。互いに間隔が空けられた２つの補助ブラシ毛１４のブラシ毛間隔は、好ましくは補助ブラシ毛基部径の３倍を超える。
【００８３】
補助ブラシ毛の後、ブラシ毛構造は、徐々に外側構造領域になっている。外側構造領域のブラシ毛８及び９のブラシ毛基部径は、好ましくは内側構造領域のブラシ毛径より小さい。
【００８４】
制限ブラシ毛１０は、先の実用例よりここでは互いから更に間隔が空けられていることも注目すべきである。
【００８５】
図７〜図１１が示すこの所定の実用例では、ＢＤＡ／ＢＤＩは値４をわずかに超えている。
【００８６】
図１２〜図１６は、概念的に第２実用例より第１実用例にはるかに近い本発明の第３実用例を示す。後述する相違を除き、第３実用例は、第１実用例に対応し、それにより、第１実用例で述べたことはまた、この第３実用例に対して同一に適用され、特に、重要な観点において実用例の実際的に同一の側面図を参照されたい。
【００８７】
内側構造領域４のブラシ毛の最内列は、この場合もまた、黒い仮想実線によって示す、液滴空間１１を包囲する前記制限ブラシ毛１０の列によって形成されている。半径方向外側に、平均径が好ましくは制限ブラシ毛１０の平均径よりわずかに（約１５％まで）小さい、中間ブラシ毛１２の列がつながっている。２つの直接隣接する中間ブラシ毛のブラシ毛間隔もまた、好ましくは、制限ブラシ毛のブラシ毛間隔におよそ（約＋１５％まで）対応している。半径方向外側に、ブラシ毛１２のこの列に外側ブラシ毛１３の列がつながっており、それは、外側ブラシ毛領域３に対する内側ブラシ毛領域４の境界を形成し、その外側ブラシ毛１３の直径は、好ましくは制限ブラシ毛１０の直径より約５０％（±１０％）小さい。このブラシ毛の列の直接隣接するブラシ毛は、好ましくは、ブラシ毛間隔が少なくともこれらのブラシ毛のブラシ毛基部径の２倍に等しい。
【００８８】
図１２〜図１６が示すこの所定の実用例では、ＢＤＡ／ＢＤＩは値１．５をわずかに超える。
【００８９】
一連の実施形態全体を、本発明によるブラシを用いて実施することができる。
【００９０】
従って、複数回使用されるパッケージ及び衛生的に有利な使い捨てパッケージの両方を備えることができる（例えば、市場において一般的な液体アイライナに適応性がある）。本発明による塗布具を、計量容器からの滴下又は注入（ブラシ毛支持体基面における内部に提供された中心出口開口部を介する）、供給容器への浸漬、又は事前に液滴が塗布された別個の担体からの吸収により装填が発生する、ばらの塗布具として設計することができる。
【００９１】
使い捨て分野において、１回の塗布に対する液体とともに塗布具を含む、単回投与パッケージを有利に実施することができる。
【００９２】
本発明によるブラシは、医薬液において特に有利であり、それは、ここでは精密な計量可能性が存在しなければならず（±０．０１ｍＬの範囲）、それを本発明による巧みな配置によって達成することも可能であるためである。精密な計量可能性により、高価な活性液体の浪費（この理由で、ブラシは、ブラシ毛構造においてそれら液体の利用されない／過剰な量があるためにこれまでは考慮されてこなかった）が発生しないことを確実にするために、この目的で以前使用されていた他の計量システムと競合して新たな応用分野が開拓される。
【００９３】
化粧品において、所望のメーキャップ結果を達成するために必要な量の明確な吸収もまた有利である。
【００９４】
本発明によって説明した射出成形されたブラシ毛は、著しい利点を示す。
【００９５】
射出成形されたブラシ毛では、すべての本質的なブラシ毛パラメータ（長さ、直径、位置決め、配置密度）が厳密に調整可能であるため、吸収した液体の皮膚、毛髪又は毛髪付属物への概して完全な放出（少なくとも８０％、好ましくは９０％から９５％）を可能にする、ブラシを作製することができる。更に、射出成形により、負傷を回避するために軟質なタイプのブラシ毛、ばり、縁及び突端がないことが可能になる。後者は、切断されたフィラメントから作製されたブラシ毛では当てはまらない場合が多い。射出成形されたブラシ毛は、非常に正確な塗布を可能にし、不注意なよじれのために突出するブラシの毛が現れることがない。ブラシ毛支持体基面と一体的に射出成形されたブラシ毛構造には、細菌等による占有に好都合な空洞がない。
【００９６】
更に、射出成形されたブラシ毛を備えたブラシには、湿潤した領域全体を単一の材料から製造することができ、そのために、この材料が、塗布される液体の有効成分とのあらゆるタイプの反応を開始しないことが確実になる、という主な利点がある。特に、ブラシ毛を締結するためにいかなる接着剤も不要であり、それは、望ましくない反応の発生の観点から非常に重要であり得る。
【００９７】
更に、こうした射出成形されたブラシ毛は、従来のブラシ毛の規則的な構造を備えたブラシより滅菌状態をもたらすことがはるかに容易である。これは、プラスチック材料自体が射出成形中に、射出成形後に外側から再度汚損が与えられないことを確実にするだけでよいように滅菌状態となるまで、加熱されるためである（クリーンルーム技法）。
【００９８】
更に、射出成形により、ブラシ毛の更なる有利な特性を設定することができる。抗菌性添加物（例えば銀イオン）を非常に簡単に添加することができ、それによりブラシ毛自体が大幅に耐菌性になる。
【００９９】
ブラシ毛の親水性又は疎水性の特質を、添加物及び／又は対応して処理されたダイ表面での製造によって引き起こすことも可能であり、ダイ表面は、それらから成形されたプラスチック表面に形成され、必要な効果をもたらす。
【０１００】
丸いブラシが好ましいが、本発明により楕円形ブラシを製造することも可能である。
【０１０１】
結論として、本発明の好ましい実施形態を、重要な用語に関連して以下のように再度要約することができる。
【０１０２】
コアにおけるわずかな数のブラシ毛が、外側に細かくなることができる複数のブラシ毛のリングによって包囲され、コア又はもっとも狭いコア領域には任意選択的にブラシ毛がない。
【０１０３】
外側構造領域によって境界が画される空間容積は、塗布される用量に対応する。表面張力のために塗布される液体は塗布具の中心で液滴を形成し、その液滴は周囲のブラシ毛によって保持される。
【０１０４】
ブラシ又はブラシ内に位置する液滴が皮膚／毛髪／髪付属物と接触すると、ブラシ毛の移動及び場合によってはブラシ毛のわずかな広がりによりブラシから液滴が完全に放出される。
【０１０５】
塗布具の外側により、必要な場合は、液体を更に分散させ、処理される表面内に入り込ませることができる。
【０１０６】
順序の関係で、上記概説は、いわゆる「ブラシ毛構造の投与量関連部分」に対する、即ち存在する総ブラシ毛構造の、処理される表面に塗布される液滴の大きさを規定する部分に対する詳細を述べていることが言及されるべきである。更に、本質的に投与量に対して無関係のブラシ毛構造の縁領域に、追加の更なるブラシ毛が存在することも可能であり、それは、例えばこれらのブラシ毛が、横方向に、即ち投与量に関連する従って本発明に関連するブラシ毛のブラシ毛長手方向軸に対して横切る方向に突出するため、ブラシ毛に対して先に確立された要件を満足させない。
【０１０７】
本明細書に関連して、以下の特徴によって説明されかつ本質的に他の請求項に戻って参照することなく図によっても示されるブラシに対しても、更にかつ独立して保護が請求される。
【０１０８】
ブラシ毛支持体基面上に一体的に又は形状が一致するように射出成形される、射出成形されたブラシを備えた計量塗布用のブラシであって、構造は制限ブラシ毛１０を有し、制限ブラシ毛は、構造の中心７において本質的にブラシ毛のない空間容積に直接隣接し、かつ残りのブラシ毛構造から境界が定められている。そして、空間容積は、好ましくは、塗布される１回分の液体が蓄積することができる液滴空間１１を形成し、その空間は、好ましくは、処理される表面に接触した時に液滴の形態で塗布される液体の大部分の特別な放出をもたらすのに十分大きい。
【０１０９】
こうしたブラシは、本質的に、本明細書の特許請求の範囲に反映されるか又は上記説明において考察したような追加の特徴を有することも可能である。
【０１１０】
こうした代替的な請求項に記載の第４の実用例を、図１７〜図１９に示す。
【０１１１】
この実用例のブラシ毛構造に対して、他の実用例に対してすでに先に述べたすべてのことが以下の相違があって適用され、その相違は、ここでは、外側構造領域（ブラシ毛密度が、外側構造領域によって包囲される内側構造領域より高い）と内側構造領域との間に、区別が必然的になされる、ということである。しかしながら、この実用例は、ブラシ毛が内側構造領域４のブラシ毛より細かい外側構造領域３が、厳密な意味で存在する程度まで、先の例に対応する。
【０１１２】
これは、内側ブラシ毛が、半径方向外側のブラシ毛より幾分か直径が大きいためであり、図１９を参照されたい。
【０１１３】
ここでは、完全にブラシ毛のない中心領域があることが必須である。中心領域は、好ましくは円形の線に沿って配置された、残りのブラシ毛部からの６つの制限ブラシ毛１０によって境界が定められており、図１９を参照されたい。このように、このブラシ毛構造の中心にも液滴空間１１が生成され、それにより、塗布される定義された量の作用物質を貯蔵することができる。そして、液滴空間１１の境界を定める制限ブラシ毛１０は、ブラシ毛部の最長ブラシ毛であり、それにより、貯蔵された作用物質の放出を、残りのブラシ毛構造を越えて突出している制限ブラシ毛を塗布される表面と接触させ、その後それらを移動させることによってもたらすことができる。液滴空間のサイズに対して決定的である他の実用例に対して上述したすべてのパラメータもまた、この実用例に対して適用されることがこの場合もまた明示的に指摘される。
【０１１４】
図１７を参照してもっともよく見ることができるように、この実用例によるブラシはまた、それが多構成要素部品として射出成形されるという特性を有することができる。この目的で、種々の円柱状又は円錐状セクションから構成される支持体が射出成形される。そして、円柱状又は円錐状セクションが、ブラシ毛支持体１としての役割を果たす、ハンドルから離れる方向に面している遠位端において支持体に射出成形され、そのブラシ毛支持体１から、ブラシ毛は好ましくは長手方向軸に対して平行な方向に突出する。
【０１１５】
図２０〜図２２は、以下の相違のみで、上述した第４実用例に本質的に対応する第５実用例を示し、相違は、この実用例におけるブラシが、好ましくは単一構成要素内で射出成形され、実際のブラシ毛支持セクションの他方の側においてブラシの領域に幾分か異なるように構成される、ということである。しかしながら、ブラシ毛構造は、第４実用例に対応し、従って、第４実用例で述べられたことはここでも適用される。
【０１１６】
最後に、第１請求項の特徴及び続いていくつかの独立ステップに記載されている追加の他の特徴を有するブラシ毛に対しても、保護が請求されることが延べられる。従って、上記のように請求項に記載したブラシは、以下の事実によって特徴付けられる。
− 制限ブラシ毛（１０）に属している、ブラシ毛基部径が最大であるブラシ毛構造（３、４）のブラシ毛
− 及び／又はブラシ毛支持体は、凸状の、好ましくは球状キャップに本質的に対応するブラシ毛支持体基面（２）を有し、そこにブラシ毛が締結され、かつそこからブラシ毛が突出すること、
− 及び／又は個々のブラシ毛の外面が、好ましくはブラシ毛長手方向軸に対して先端角βが０．５°から３°であるように円錐状に設計されていること。
【符号の説明】
【０１１７】
１  ブラシ毛支持体
２  ブラシ毛支持体基面
３  外側構造領域
４  内側構造領域
７  ブラシ毛構造の中心
８  バリア列
９  バリア列
１０  制限ブラシ毛
１１  液滴空間
１２  中心ブラシ毛
１３  外側ブラシ毛
１４  補助ブラシ毛
Ｌ  長手方向軸
ＫＤ  ブラシの頭部径
ＢＬ  ブラシ毛長手方向軸
ＧＲ  外側構造領域及び内側構造領域に対する境界線
ＬＢ  ブラシ毛長さ
ＢＤＡ  外側構造領域におけるブラシ毛密度
ＢＤＩ  内側構造領域におけるブラシ毛密度
Ｔ  ブラシ毛支持体基面の最深点
α  円錐状表面角度
β  ブラシ毛外面の勾配
【図１】
2014504531.tif 000003
【図２】
2014504531.tif 000004
【図３】
2014504531.tif 000005
【図４】
2014504531.tif 000006
【図５】
2014504531.tif 000007
【図６】
2014504531.tif 000008
【図７】
2014504531.tif 000009
【図８】
2014504531.tif 000010
【図９】
2014504531.tif 000011
【図１０】
2014504531.tif 000012
【図１１】
2014504531.tif 000013
【図１２】
2014504531.tif 000014
【図１３】
2014504531.tif 000015
【図１４】
2014504531.tif 000016
【図１５】
2014504531.tif 000017
【図１６】
2014504531.tif 000018
【図１８】
2014504531.tif 000019
【図１９】
2014504531.tif 000020
【図２０】
2014504531.tif 000021
【図２１】
2014504531.tif 000022
【図２２】
2014504531.tif 000023
【図１７】
2014504531.tif 000024
【国際調査報告】
2014504531.tif 000025
2014504531.tif 000026
2014504531.tif 000027
2014504531.tif 000028
2014504531.tif 000029
2014504531.tif 000030
2014504531.tif 000031
2014504531.tif 000032